(57)【要約】      （修正有）【課題】下部化粧枠体と上部化粧枠体との連結構造のセンターコンソール用化粧枠体であっても、下部化粧枠体に外力が加わった場合に下部連結枠体と上部連結枠体との間に隙間が生じるのを確実に防止することのできるセンターコンソール用化粧枠体を提供する。【解決手段】下部化粧枠体５を上部化粧枠体４に向かって連結する際に対面壁部５ｂを連結用衝合壁部４ｅに向かって接近させる方向に案内する案内壁部４ｇが形成され、案内壁部４ｇは嵌合スリット５ｃに嵌合される嵌合壁部４ｍと傾斜壁部４ｈと連結壁部４ｊとから構成され、対面壁部５ｂには案内壁部４ｇに当接しつつ対面壁部５ｂを連結用衝合壁部４ｅに向かって接近させる当接面５ｇを有すると共に、上部化粧枠体４と下部化粧枠体５との連結状態で上部化粧枠体４と下部化粧枠体５との連結境界４ｋに隙間が生じるのを防止するための衝合面５ｈを有する案内リブが形成されている。【選択図】  図１３
2006056279.tif 000002
【特許請求の範囲】
【請求項１】
縁取り用開口を有しかつ車幅方向両辺部に下方に向かって延びる一対の取り付け用側壁部が形成されしかも一対の取り付け用側壁部を介して車体前部のインストルメントパネルのコンソール部に斜めに取り付けられた状態で下方となる下方辺部に連結用衝合壁部が形成された上部化粧枠体と、縁取り用開口を有しかつ前記上部化粧枠体の下方に配置されて前記上部化粧枠体に連結された状態で車幅方向両辺部に上方に向かって湾曲する形状を呈する湾曲辺部が形成された下部化粧枠体とからなり、前記湾曲辺部には前記連結用衝合壁部と対面する対面壁部が形成され、該対面壁部には嵌合スリットが形成されると共に前記上部化粧枠体の表面と前記下部化粧枠体の表面とを面一に設定するための整合爪が形成され、前記連結用衝合壁部には前記対面壁部に向かって延びて前記下部化粧枠体を前記上部化粧枠体に向かって連結する際に前記対面壁部を前記連結用衝合壁部に向かって接近させる方向に案内する案内壁部が形成され、該案内壁部は前記嵌合スリットに嵌合される嵌合壁部と傾斜壁部と連結壁部とから構成され、前記対面壁部には前記案内壁部に当接しつつ前記対面壁部を前記連結用衝合壁部に向かって接近させる当接面を有すると共に、前記上部化粧枠体と前記下部化粧枠体との連結状態で前記上部化粧枠体と前記下部化粧枠体との連結境界に隙間が生じるのを防止するための衝合面を有する案内リブが形成されていることを特徴とするセンターコンソール用化粧枠体。
【発明の詳細な説明】
【技術分野】
【０００１】
本発明は、センターコンソール用化粧用枠体の改良に関する。
【背景技術】
【０００２】
従来から、インストルメントパネルには、各種の化粧枠体が取り付けられている（例えば、特許文献１参照。）。
【０００３】
そのインストルメントパネルの化粧枠体にはセンターコンソール部に設けられているものもある。
【特許文献１】特開平０９−２４０３２０号公報
【発明の開示】
【発明が解決しようとする課題】
【０００４】
ところで、そのセンターコンソール用化粧枠体には、上部化粧枠体と下部化粧枠体とから構成されているものもある。その上部化粧枠体は縁取り用開口を有しかつ車幅方向両辺部に下方に向かって延びる一対の取り付け用側壁部が形成されている。その上部化粧枠体は一対の取り付け用側壁部を介して車体前部のインストルメントパネルのコンソール部に斜めに取り付けられる。その上部化粧枠体の下方辺部には図示を略す連結用衝合壁部が形成されている。
【０００５】
下部化粧枠体には縁取り用開口が形成されると共に、上部化粧枠体の下方辺部に向かって延びる一対の湾曲辺部が形成されている。その下部化粧枠体はその上部化粧枠体をインストルメントパネルに斜めに取り付け固定した状態で、その一対の湾曲辺部と下方辺部とが連結固定される。
【０００６】
しかしながら、この従来のセンターコンソール用化粧枠体では、上部化粧枠体と下部化粧枠体との連結力が弱く、小さな力で下部化粧枠体が引き抜かれ易いために、下部化粧枠体と上部化粧枠体との連結境界に隙間が生じて見栄えが悪いという不都合がある。
【０００７】
本発明は、上記の事情に鑑みて為されたもので、その目的とするところは、下部化粧枠体と上部化粧枠体との連結構造からセンターコンソール用化粧枠体であっても、下部化粧枠体に外力が加わった場合に、下部連結枠体と上部連結枠体との間に隙間が生じるのを確実に防止することのできるセンターコンソール用化粧枠体を提供することにある。
【課題を解決するための手段】
【０００８】
本発明のセンターコンソール用化粧枠体は、縁取り用開口を有しかつ車幅方向両辺部に下方に向かって延びる一対の取り付け用側壁部が形成されしかも一対の取り付け用側壁部を介して車体前部のインストルメントパネルのコンソール部に斜めに取り付けられた状態で下方となる下方辺部に連結用衝合壁部が形成された上部化粧枠体と、縁取り用開口を有しかつ前記上部化粧枠体の下方に配置されて前記上部化粧枠体に連結された状態で車幅方向両辺部に上方に向かって湾曲する形状を呈する湾曲辺部が形成された下部化粧枠体とからなり、前記湾曲辺部には前記連結用衝合壁部と対面する対面壁部が形成され、該対面壁部には嵌合スリットが形成されると共に前記上部化粧枠体の表面と前記下部化粧枠体の表面とを面一に設定するための整合爪が形成され、前記連結用衝合壁部には前記対面壁部に向かって延びて前記下部化粧枠体を前記上部化粧枠体に向かって連結する際に前記対面壁部を前記連結用衝合壁部に向かって接近させる方向に案内する案内壁部が形成され、該案内壁部は前記嵌合スリットに嵌合される嵌合壁部と傾斜壁部と連結壁部とから構成され、前記対面壁部には前記案内壁部に当接しつつ前記対面壁部を前記連結用衝合壁部に向かって接近させる当接面を有すると共に、前記上部化粧枠体と前記下部化粧枠体との連結状態で前記上部化粧枠体と前記下部化粧枠体との連結境界に隙間が生じるのを防止するための衝合面を有する案内リブが形成されていることを特徴とする。
【発明の効果】
【０００９】
本発明に係わるセンターコンソール用化粧枠体によれば、下部化粧枠体の湾曲辺部に下方に向かっての移動を阻止する衝合面を有する案内リブを形成したので、上部化粧枠体と下部化粧枠体との連結境界に大きな隙間が生じるのを防止できる。
【発明を実施するための最良の形態】
【００１０】
以下に、本発明に係わるセンターコンソール用化粧枠体の発明の実施の形態を図面を参照しつつ説明する。
【実施例】
【００１１】
図１は本発明に係わるインストルメントパネルの概略構造を示す外観図で、この図１において、１はインストルメントパネル、２はセンターコンソール部である。そのセンターコンソール部２は車体前方から車体後方に向かって延びており、このセンターコンソール部２を境にして、図中、右方が運転席側、左方が助手席側とされている。
【００１２】
そのセンターコンソール部２の表面はインストルメントパネル２から下方に向かって傾斜されており、その傾斜部に図２に拡大して示すセンターコンソール用化粧枠体３が設けられている。そのセンターコンソール用化粧枠体３は、上から下に向かって順にエアコンコントロールユニット操作表示部縁取り用の開口３ａ、オーディオ操作表示部縁取り用開口３ｂ、灰皿縁取り用開口３ｃ、ＡＴセレクトレバー縁取り用開口３ｄ、ハザード操作部縁取り用開口３ｅをそれぞれ有する。なお、この図１では、ＡＴセレクトレバーは図示が略されている。
【００１３】
そのセンターコンソール用化粧枠体３は、図２、図３に拡大して示すように上部化粧枠体４と下部化粧枠体５とからなる分割枠体により構成されている。その上部化粧枠体４には、図４〜図６に拡大して示すようにその車幅方向両辺部に下方に向かって延びる一対の取り付け用側壁部４ａ、４ａが形成されている。その一対の取付用側壁部４ａ、４ａにはインストルメントパネル１の被取り付け部（図示を略す）に当接されて取り付けられる取り付け部４ｂ、４ｂが形成され、この取り付け部４ｂ、４ｂにはその被取り付け部の嵌合穴（図示を略す）に嵌合される位置決め突起４ｃ等が形成されている。
【００１４】
その上部化粧枠体４は、エアコンコントロールユニット操作表示部縁取り用の開口３ａ、オーディオ操作表示部縁取り用開口３ｂを有する。その上部化粧枠体４はその取り付け部４ｂ、４ｂを介して下部化粧枠体５よりも先にそのインストルメントパネル１のセンターコンソール部２に斜めに取り付け固定される。
【００１５】
その上部化粧枠体４にはインストルメントパネル１のセンターコンソール部２に斜めに取り付けられた状態で下方となる下方辺部４ｄに車幅方向に延びる連結用衝合壁部４ｅが図７に拡大して示すように形成されている。その連結用衝合壁部４ｅには後述する整合爪と協働して、上部化粧枠体４の表面３ｆ（図３参照）と下部化粧枠体５の表面３ｇ（図３参照）とを面一に設定するための一対の基準面４ｐが車幅方向に間隔を開けて形成されている。
【００１６】
下部化粧枠体５は、図３に示すように上方から下方に向かって湾曲されており、下部化粧枠体５はその上部化粧枠体４をインストルメントパネル１に固定した後、上部化粧枠体４の下方に配置されて上部化粧枠体４に連結されるものである。その下部化粧枠体５には車幅方向両辺部に上方に向かって湾曲する形状を呈する一対の湾曲辺部５ａ、５ａが図２、図８〜図１０に示すように形成されている。
【００１７】
下部化粧枠体５は、灰皿縁取り用開口３ｃ、ＡＴセレクトレバー縁取り用開口３ｄ、ハザード操作部縁取り用開口３ｅを有し、灰皿縁取り用開口３ｃは一対の湾曲辺部５ａ、５ａと上部化粧枠体４の下方辺部４ｄとによって形成される。
【００１８】
その一対の湾曲辺部５ａ、５ａには、図８、図９に示すように連結用衝合壁部４ｅに対面する一対の対面壁部５ｂ、５ｂが形成されている。この一対の対面壁部５ｂにはそれぞれ嵌合スリット５ｃ、５ｃが形成されると共に上部化粧枠体４の表面３ｆと下部化粧枠体５の表面３ｇとを面一に設定するための整合爪５ｅが図１１に拡大して示すようにそれぞれ形成されている。
【００１９】
その嵌合スリット５ｃ、５ｃは後述する嵌合壁部の挿入容易化を図るためのテーパ部５ｃ’とこのテーパー部５ｃ’から一対の湾曲辺部５ａ、５ａの表面３ｇに向かって直線状に延びる直線状部５ｃ”とからなっている。
【００２０】
連結用衝合壁部４ｅには一対の対面壁部５ｂ、５ｂに向かって延びて下部化粧枠体５を上部化粧枠体４に向かって連結する際にこの一対の対面壁部５ｂ、５ｂを連結用衝合壁部４ｅに向かって接近させる方向に案内する一対の案内壁部４ｇが形成されている。この一対の案内壁部４ｇは図７に拡大して示すように傾斜壁部４ｈと連結壁部４ｊとから構成されている。その一対の案内壁部４ｇには嵌合スリット５ｃ、５ｃに嵌合される嵌合壁部４ｍが形成されている。
【００２１】
一対の対面壁部５ｂ、５ｂにはその整合爪５ｅが形成されている面５ｅ’と反対側の背面５ｅ”に嵌合スリット５ｃ、５ｃの幅方向に間隔を開けて一対の案内リブ５ｆが図１２に拡大して示すように形成されている。その一対の案内リブ５ｆは案内壁部４ｇに当接しつつこの一対の対面壁部５ｂ、５ｂを連結用衝合壁部４ｅに向かって接近させる当接面５ｇを有すると共に上部化粧枠体４と下部化粧枠体５とを連結固定した状態で下部化粧枠体５の下方に向かっての移動を阻止する衝合面５ｈを有する。その一対の案内リブ５ｆの対向空間は嵌合壁部４ｍが進入する進入空間５ｊとなっている。
【００２２】
本発明に係わるセンターコンソール用化粧枠体３によれば、上部化粧枠体４をインストルメントパネル１に斜めに取り付け固定した状態で、この上部化粧枠体４に下部化粧枠体５を連結する際には、下部化粧枠体５を手で持って、案内リブ５ｆの当接面５ｇを傾斜壁部４ｈに当接させつつかつ嵌合壁部４ｍが嵌合スリット４ｃに嵌合されるようにして下部化粧枠体５の一対の湾曲辺部５ａ、５ａから遠い側の辺部を下方に向かって回動させる。とほぼ同時に、一対の湾曲辺部５ａ、５ａを上部化粧枠体４の連結用衝合壁部４ｅに向かって接近させる。
【００２３】
その一対の湾曲辺部５ａ、５ａが連結用衝合壁部４ｅに接近するに伴って、その案内壁部４ｇに形成された一対の嵌合壁部４ｍは一対の嵌合スリット５ｃ、５ｃに嵌合され、これによってその下部化粧枠体５が上部化粧枠体４に連結される。
【００２４】
その際、整合爪５ｅ、５ｅの上面が連結用衝合壁部４ｅの基準面４ｐに当接して、図３に示すように下部化粧枠体５の表面３ｆと上部化粧枠体４の表面３ｇとが面一になる。
【００２５】
その上部化粧枠体４と下部化粧枠体５との連結後は、下部化粧枠体５に矢印Ｑ１方向（図１３参照）又は矢印Ｑ２方向の引き抜き力が加わったとしても、案内リブ５ｆの衝合面５ｈが案内壁部４ｇの傾斜壁部４ｈに衝合するので、下部化粧枠体５と上部化粧枠体５との連結境界４ｋに隙間が生じるのを防止できる。
【図面の簡単な説明】
【００２６】
【図１】本発明に係わるセンターコンソール用化粧枠体が適用されるインストルメントパネルの外観構造の一例を示す概要図である。
【図２】図１に示すセンターコンソール用化粧枠体の正面図である。
【図３】図２に示すセンターコンソール用化粧枠体の側面図である。
【図４】図２に示す上部化粧枠体の平面図である。
【図５】図３に示す上部化粧枠体を下部化粧枠体の側から見た図である。
【図６】図３に示す上部化粧枠体の側面図である。
【図７】図２に示す上部化粧枠体の要部部分拡大斜視図である。
【図８】図２に示す下部化粧枠体の平面図である。
【図９】図８に示す下部化粧枠体を上部化粧枠体の側から見た図である。
【図１０】図８に示す下部化粧枠体の側面図である。
【図１１】図８に示す湾曲辺部の部分拡大斜視図である。
【図１２】本発明に係わる下部化粧枠体の対面壁部の要部構成を示す部分拡大斜視図である。
【図１３】本発明に係わるセンターコンソール用化粧枠体の作用を説明するための要部拡大断面図である。
【符号の説明】
【００２７】
３…センターコンソール用化粧枠体
３ｆ、３ｇ…表面
４…上部化粧枠体
４ｄ…下方辺部
４ｅ…連結用衝合壁部
４ｇ…案内壁部
４ｈ…傾斜壁部
４ｊ…連結壁部
４ｋ…連結境界
５…下部化粧枠体
５ａ…湾曲辺部
５ｂ…対面壁部
５ｃ…嵌合スリット
５ｅ…整合爪
５ｇ…当接面
５ｈ…衝合面
５ｆ…案内リブ
【図１】
2006056279.tif 000003
【図２】
2006056279.tif 000004
【図３】
2006056279.tif 000005
【図４】
2006056279.tif 000006
【図５】
2006056279.tif 000007
【図６】
2006056279.tif 000008
【図７】
2006056279.tif 000009
【図８】
2006056279.tif 000010
【図９】
2006056279.tif 000011
【図１０】
2006056279.tif 000012
【図１１】
2006056279.tif 000013
【図１２】
2006056279.tif 000014
【図１３】
2006056279.tif 000015